(57)【要約】  複数の通信装置１〜４から構成され、各通信装置１〜４は接続ポートで設定されたＶＬＡＮ番号によりＶＬＡＮ設定可能であって、通信装置単位でＶＬＡＮ番号を設定する、列車の車両間通信を行うネットワークシステムであって、ＶＬＡＮ設定を無効にする特定種類のパケットを受信した通信装置は、前記特定種類のパケットがマルチキャストアドレスのパケットの場合、配信対象の機器が自装置と接続しているときは、前記配信対象の機器へ前記特定種類のパケットを転送し、また、他の通信装置で設定されているＶＬＡＮ番号に関わらず、自装置と異なるＶＬＡＮを同一ネットワークとみなし、前記他の通信装置へ前記特定種類のパケットを転送する。
2014033835.tif 000002
【特許請求の範囲】
【請求項１】
複数の通信装置から構成され、各通信装置は接続ポートで設定されたＶＬＡＮ番号によりＶＬＡＮ設定可能であって、通信装置単位でＶＬＡＮ番号を設定する、列車の車両間通信を行うネットワークシステムであって、
ＶＬＡＮ設定を無効にする特定種類のパケットを受信した通信装置は、前記特定種類のパケットがマルチキャストアドレスのパケットの場合、配信対象の機器が自装置と接続しているときは、前記配信対象の機器へ前記特定種類のパケットを転送し、また、他の通信装置で設定されているＶＬＡＮ番号に関わらず、自装置と異なるＶＬＡＮを同一ネットワークとみなし、前記他の通信装置へ前記特定種類のパケットを転送する、
ことを特徴とするネットワークシステム。
【請求項２】
複数の通信装置から構成され、各通信装置は接続ポートで設定されたＶＬＡＮ番号によりＶＬＡＮ設定可能であって、通信装置単位でＶＬＡＮ番号を設定する、列車の車両間通信を行うネットワークシステムであって、
ＶＬＡＮ設定を無効にする特定種類のパケットを受信した通信装置は、前記特定種類のパケットがユニキャストアドレスのパケットの場合、前記特定種類のパケットの宛先が自装置と接続する機器のときは、所望の宛先の機器へパケットを転送し、前記特定種類のパケットの宛先が他の通信装置と接続する機器のときは、前記他の通信装置で設定されているＶＬＡＮ番号に関わらず、自装置と異なるＶＬＡＮを同一ネットワークとみなし、前記他の通信装置宛に前記特定種類のパケットを転送する、
ことを特徴とするネットワークシステム。
【請求項３】
前記特定種類のパケットを、特定のＭＡＣアドレスを持つパケットとする、
ことを特徴とする請求項１または２に記載のネットワークシステム。
【請求項４】
複数の通信装置から構成され、各通信装置は接続ポートで設定されたＶＬＡＮ番号によりＶＬＡＮ設定可能であって、通信装置単位でＶＬＡＮ番号を設定する、列車の車両間通信を行うネットワークシステムにおける前記通信装置であって、
ＶＬＡＮ設定を無効にする特定種類のパケットであって前記特定種類のパケットとしてマルチキャストアドレスのパケットを受信した場合、配信対象の機器が自装置と接続しているときは、前記配信対象の機器へ前記特定種類のパケットを転送し、また、他の通信装置で設定されているＶＬＡＮ番号に関わらず、自装置と異なるＶＬＡＮを同一ネットワークとみなし、前記他の通信装置へ前記特定種類のパケットを転送する、
ことを特徴とする通信装置。
【請求項５】
複数の通信装置から構成され、各通信装置は接続ポートで設定されたＶＬＡＮ番号によりＶＬＡＮ設定可能であって、通信装置単位でＶＬＡＮ番号を設定する、列車の車両間通信を行うネットワークシステムにおける前記通信装置であって、
ＶＬＡＮ設定を無効にする特定種類のパケットであって前記特定種類のパケットとしてユニキャストアドレスのパケットを受信した場合、前記特定種類のパケットの宛先が自装置と接続する機器のときは、所望の宛先の機器へパケットを転送し、前記特定種類のパケットの宛先が他の通信装置と接続する機器のときは、前記他の通信装置で設定されているＶＬＡＮ番号に関わらず、自装置と異なるＶＬＡＮを同一ネットワークとみなし、前記他の通信装置宛に前記特定種類のパケットを転送する、
ことを特徴とする通信装置。
【請求項６】
前記特定種類のパケットを、特定のＭＡＣアドレスを持つパケットとする、
ことを特徴とする請求項４または５に記載の通信装置。
【発明の詳細な説明】
【技術分野】
【０００１】
本発明は、ＶＬＡＮによる通信を行うネットワークシステムおよび通信装置に関する。
【背景技術】
【０００２】
従来、ＶＬＡＮ（Virtual  Local  Area  Network）を使用した通信が行われている。ネットワークを共用するシステムにおいて、ＶＬＡＮは、ネットワークを分割して使用することができる。例えば、複数の通信装置（ハブ）が接続されたシステムにおいて、各通信装置（ハブ）の接続ポートにＶＬＡＮ設定することにより、物理的な配置では１つのネットワークであるが、論理的に複数のネットワークとして運用することができる。このような技術が、下記特許文献１〜３において開示されている。
【先行技術文献】
【特許文献】
【０００３】
【特許文献１】特開２００７−５８９２号公報
【特許文献２】特開２００３−１９８５８８号公報
【特許文献３】特開２００４−７２１６０号公報
【発明の概要】
【発明が解決しようとする課題】
【０００４】
しかしながら、上記従来の技術によれば、同じＶＬＡＮ設定のネットワーク内でのみ通信ができる。そのため、複数の通信装置が接続されていても、ＶＬＡＮ設定の異なる通信装置間では通信できない、という問題があった。【０００５】
本発明は、上記に鑑みてなされたものであって、ＶＬＡＮ設定の異なる通信装置間での通信が可能なネットワークシステムおよび通信装置を得ることを目的とする。
【課題を解決するための手段】
【０００６】
上述した課題を解決し、目的を達成するために、本発明は、複数の通信装置から構成され、各通信装置は接続ポートで設定されたＶＬＡＮ番号によりＶＬＡＮ設定可能であって、通信装置単位でＶＬＡＮ番号を設定する、列車の車両間通信を行うネットワークシステムであって、ＶＬＡＮ設定を無効にする特定種類のパケットを受信した通信装置は、前記特定種類のパケットがマルチキャストアドレスのパケットの場合、配信対象の機器が自装置と接続しているときは、前記配信対象の機器へ前記特定種類のパケットを転送し、また、他の通信装置で設定されているＶＬＡＮ番号に関わらず、自装置と異なるＶＬＡＮを同一ネットワークとみなし、前記他の通信装置へ前記特定種類のパケットを転送する、ことを特徴とする。
【発明の効果】
【０００７】
本発明にかかるネットワークシステムは、ＶＬＡＮ設定の異なる通信装置間での通信ができる、という効果を奏する。
【図面の簡単な説明】
【０００８】
【図１】図１は、通信装置を含むネットワークシステムの構成例を示す図である。
【図２】図２は、ＶＬＡＮ設定に従った通常のネットワークの状態を示す図である。
【図３】図３は、特定種類のパケットを用いたときのネットワークの状態を示す図である。
【図４】図４は、特定種類のパケットを用いたときのネットワークの状態を示す図である。
【発明を実施するための形態】
【０００９】
以下に、本発明に係るネットワークシステムおよび通信装置の実施の形態を図面に基づいて詳細に説明する。なお、この実施の形態によりこの発明が限定されるものではない。
【００１０】
実施の形態．
図１は、本実施の形態に係る通信装置を含むネットワークシステムの構成例を示す図である。各機器の物理接続を示すものである。ネットワークシステムは、通信装置１，２，３，４を備えており、通信装置１，２がＴｒｕｎｋ  Ｌｉｎｋ（トランクリンク）５で接続されており、通信装置２，３がＴｒｕｎｋ  Ｌｉｎｋ６で接続されており、通信装置３，４がＴｒｕｎｋ  Ｌｉｎｋ７で接続されている。
【００１１】
通信装置１には、ＶＬＡＮ＃１設定ポートに接続された管理装置１０および装置１１〜１３が接続されている。また、通信装置２には、ＶＬＡＮ＃１設定ポートに接続された装置１４〜１６が接続されている。また、通信装置３には、ＶＬＡＮ＃２設定ポートに接続された管理装置２０および装置２１〜２３が接続されている。また、通信装置４には、ＶＬＡＮ＃３設定ポートに接続された管理装置３０および装置３１〜３３が接続されている。通信装置１〜４は、複数の接続ポートを備えており、各接続ポートで設定されたＶＬＡＮ番号によりＶＬＡＮ設定が可能である。なお、ネットワークシステムの具体例として、列車編成において、各車両に通信装置を備え、車両間をＴｒｕｎｋ  Ｌｉｎｋで接続して車両間通信を行うシステムがあるが、このような車両間の通信に限定するものではない。
【００１２】
図２は、ＶＬＡＮ設定に従った通常のネットワークの状態を示す図である。図２に示すように、管理装置１０および装置１１〜１６は、ＶＬＡＮ＃１のネットワークに接続されており、通常は、このポートＶＬＡＮ＃１で設定されたネットワーク内でのみ通信が可能である。管理装置２０および装置２１〜２３は、ＶＬＡＮ＃２のネットワークに接続されており、通常は、このポートＶＬＡＮ＃２で設定されたネットワーク内でのみ通信が可能である。管理装置３０および装置３１〜３３は、ＶＬＡＮ＃３のネットワークに接続されており、通常は、このポートＶＬＡＮ＃３で設定されたネットワーク内でのみ通信が可能である。
【００１３】
車両間で通信を行う場合として、例えば、各通信装置を各車両に１つ配置し、車両単位でＶＬＡＮを設定するシステムが考えられる。各通信装置に接続される機器としては、各ＶＬＡＮの通信を管理する管理装置があり、また、接続される装置として、例えば、案内表示装置、行先表示装置、音声データの出力装置等があるが、これらに限定するものではない。
【００１４】
つづいて、ある装置において、他のＶＬＡＮ設定の通信装置に接続する装置と通信を行う場合について説明する。具体的には、任意の車両の通信装置に接続するマイク（装置）を使って、列車編成の全ての車両の通信装置に接続する音声データの出力装置から音声データを出力するような使い方がある。ある装置において、他のＶＬＡＮに接続する装置と通信を行う場合、本実施の形態では、特定種類のパケットを用いることとする。特定種類とは、ＴＣＰ／ＵＤＰにおける「８０」や「１１０」に相当するポート番号やＩＰアドレス、ＭＡＣアドレス等を示す。例えば、１つの装置から、同一および異なる設定のＶＬＡＮのネットワークに接続する装置へデータを送信する場合、送信側の装置は、特定のマルチキャストアドレスを用いて通信を行う。マルチキャストアドレスをＩＰアドレスで設定すると、ＭＡＣアドレスも決定することができる。各通信装置において、あらかじめ特定種類のパケットに対して自装置が備えるテーブル等で通過許可を設定しておくことにより、ＶＬＡＮを無効化するパケットをシステムとして定義することができる。
【００１５】
図３は、特定種類のパケットを用いたときのネットワークの状態を示す図である。ここでは、マルチキャストの場合について説明する。例えば、装置１１が同一および異なる設定のＶＬＡＮのネットワークに接続する装置へデータを送信する場合、特定種類のパケットをマルチキャストで送信する。このとき、各通信装置では、各装置が接続する接続ポートにおいて、このマルチキャストアドレスに対して通過許可を設定する。通過許可するマルチキャストアドレスについては、各通信装置においてあらかじめ設定する。なお、各通信装置では、管理装置が接続する接続ポートにおいては、このマルチキャストアドレスに対して通過未許可とする。これにより、各通信装置において、予め通過許可を設定したポートに接続する装置では、マルチキャストによるデータを受信することができる。一方、管理装置では、パケットフィルタリング機能により、マルチキャストによるデータを受信することはできない。
【００１６】
具体的に、装置１１は、ＶＬＡＮ＃１側の装置１２〜１６、ＶＬＡＮ＃２側の装置２１〜２３、ＶＬＡＮ＃３側の装置３１〜３３と通信する場合、特定種類のパケットを通信装置１へ送信する。通信装置１は、装置１１から受信した特定種類のパケットを所望の宛先である装置１２，１３および通信装置２へ転送する。通信装置２は、通信装置１から受信した特定種類のパケットを所望の宛先である装置１４〜１６へ転送し、また、ポートＶＬＡＮの設定にかかわらず（ポートＶＬＡＮの設定を無視して）、通信装置１から受信した特定種類のパケットを通信装置３へ転送する。通信装置３は、ポートＶＬＡＮの設定にかかわらず（ポートＶＬＡＮの設定を無視して）、通信装置２から受信した特定種類のパケットを所望の宛先である装置２１〜２３および通信装置４へ転送する。通信装置４は、ポートＶＬＡＮの設定にかかわらず（ポートＶＬＡＮの設定を無視して）、通信装置３から受信した特定種類のパケットを所望の宛先である装置３１〜３３へ転送する。
【００１７】
このように、通信装置３，４では、装置１１から特定種類のパケットを受信した場合、ポートＶＬＡＮの設定を無効にし、それぞれ、ＶＬＡＮ＃２とＶＬＡＮ＃３のネットワークをＶＬＡＮ＃１と同一ネットワークとみなして動作する。
【００１８】
なお、ＶＬＡＮ間の通信はマルチキャストに限定するものではなく、ユニキャストで行うことも可能である。図４は、特定種類のパケットを用いたときのネットワークの状態を示す図である。ここでは、ユニキャストの場合について説明する。例えば、装置１１が異なる設定のＶＬＡＮのネットワークに接続する装置３１へデータを送信する場合、特定種類のパケットをユニキャストで送信する。このとき、前述のように、各通信装置では、各装置が接続する接続ポートにおいて、このユニキャストアドレスに対して通過許可を設定する。通過許可するユニキャストアドレスについては、各通信装置において、予め設定する。
【００１９】
具体的に、装置１１は、ＶＬＡＮ＃３側の装置３１と通信する場合、特定種類のパケットを通信装置１へ送信する。通信装置１は、装置１１から受信した特定種類のパケットを通信装置２へ転送する。通信装置２は、ポートＶＬＡＮの設定にかかわらず（ポートＶＬＡＮの設定を無視して）、通信装置１から受信した特定種類のパケットを通信装置３へ転送する。通信装置３は、ポートＶＬＡＮの設定にかかわらず（ポートＶＬＡＮの設定を無視して）、通信装置２から受信した特定種類のパケットを通信装置４へ転送する。通信装置４は、ポートＶＬＡＮの設定にかかわらず（ポートＶＬＡＮの設定を無視して）、通信装置３から受信した特定種類のパケットを所望の宛先である装置３１へ転送する。
【００２０】
マルチキャストのときと同様に、通信装置３，４では、装置１１から特定種類のパケットを受信した場合、ポートＶＬＡＮの設定を無効にし、それぞれ、ＶＬＡＮ＃２とＶＬＡＮ＃３のネットワークをＶＬＡＮ＃１と同一ネットワークとみなして動作する。
【００２１】
以上説明したように、本実施の形態によれば、複数の通信装置から構成されるネットワークシステムでは、特定種類のパケットを受信した通信装置は、ＶＬＡＮ設定にかかわらず、複数のＶＬＡＮを同一ネットワークとみなして、受信したパケットを接続ポートに接続されている所望の宛先の機器や隣接する通信装置へ転送することとした。これにより、ネットワークを共用するシステムにおいて、ＶＬＡＮ設定が異なるネットワーク間での通信が可能となる。
【符号の説明】
【００２２】
１，２，３，４  通信装置、５，６，７  Ｔｒｕｎｋ  Ｌｉｎｋ、１０，２０，３０  管理装置、１１〜１６，２１〜２３，３１〜３３  装置。
【図１】
2014033835.tif 000003
【図２】
2014033835.tif 000004
【図３】
2014033835.tif 000005
【図４】
2014033835.tif 000006
【手続補正書】
【提出日】平成25年4月15日(2013.4.15)
【手続補正１】
【補正対象書類名】特許請求の範囲
【補正対象項目名】全文
【補正方法】変更
【補正の内容】
【特許請求の範囲】
【請求項１】
複数の通信装置から構成され、各通信装置は接続ポートで設定されたＶＬＡＮ番号によりＶＬＡＮ設定可能であって、通信装置単位でＶＬＡＮ番号を設定する、列車の車両間通信を行うネットワークシステムであって、
前記通信装置は、パケットに付与された通信の種類を識別する情報に基づいて、受信パケットが通過許可設定されたパケットであってＶＬＡＮ設定を無効にする特定種類のパケットかどうかを判断し、前記特定種類のパケットとしてマルチキャストアドレスのパケットを受信した場合、配信対象の機器が自装置と接続しているときは、前記配信対象の機器へ前記特定種類のパケットを転送し、また、他の通信装置で設定されているＶＬＡＮ番号の設定を無効にし、自装置と異なるＶＬＡＮを同一ネットワークとみなし、前記他の通信装置へ前記特定種類のパケットを転送する、
ことを特徴とするネットワークシステム。
【請求項２】
複数の通信装置から構成され、各通信装置は接続ポートで設定されたＶＬＡＮ番号によりＶＬＡＮ設定可能であって、通信装置単位でＶＬＡＮ番号を設定する、列車の車両間通信を行うネットワークシステムであって、
前記通信装置は、パケットに付与された通信の種類を識別する情報に基づいて、受信パケットが通過許可設定されたパケットであってＶＬＡＮ設定を無効にする特定種類のパケットかどうかを判断し、前記特定種類のパケットとしてユニキャストアドレスのパケットを受信した場合、前記特定種類のパケットの宛先が自装置と接続する機器のときは、所望の宛先の機器へパケットを転送し、前記特定種類のパケットの宛先が他の通信装置と接続する機器のときは、前記他の通信装置で設定されているＶＬＡＮ番号の設定を無効にし、自装置と異なるＶＬＡＮを同一ネットワークとみなし、前記他の通信装置宛に前記特定種類のパケットを転送する、
ことを特徴とするネットワークシステム。
【請求項３】
前記特定種類のパケットを、特定のＭＡＣアドレスを持つパケットとする、
ことを特徴とする請求項１または２に記載のネットワークシステム。
【請求項４】
複数の通信装置から構成され、各通信装置は接続ポートで設定されたＶＬＡＮ番号によりＶＬＡＮ設定可能であって、通信装置単位でＶＬＡＮ番号を設定する、列車の車両間通信を行うネットワークシステムにおける前記通信装置であって、
パケットに付与された通信の種類を識別する情報に基づいて、受信パケットが通過許可設定されたパケットであってＶＬＡＮ設定を無効にする特定種類のパケットかどうかを判断し、前記特定種類のパケットとしてマルチキャストアドレスのパケットを受信した場合、配信対象の機器が自装置と接続しているときは、前記配信対象の機器へ前記特定種類のパケットを転送し、また、他の通信装置で設定されているＶＬＡＮ番号の設定を無効にし、自装置と異なるＶＬＡＮを同一ネットワークとみなし、前記他の通信装置へ前記特定種類のパケットを転送する、
ことを特徴とする通信装置。
【請求項５】
複数の通信装置から構成され、各通信装置は接続ポートで設定されたＶＬＡＮ番号によりＶＬＡＮ設定可能であって、通信装置単位でＶＬＡＮ番号を設定する、列車の車両間通信を行うネットワークシステムにおける前記通信装置であって、
パケットに付与された通信の種類を識別する情報に基づいて、受信パケットが通過許可設定されたパケットであってＶＬＡＮ設定を無効にする特定種類のパケットかどうかを判断し、前記特定種類のパケットとしてユニキャストアドレスのパケットを受信した場合、前記特定種類のパケットの宛先が自装置と接続する機器のときは、所望の宛先の機器へパケットを転送し、前記特定種類のパケットの宛先が他の通信装置と接続する機器のときは、前記他の通信装置で設定されているＶＬＡＮ番号の設定を無効にし、自装置と異なるＶＬＡＮを同一ネットワークとみなし、前記他の通信装置宛に前記特定種類のパケットを転送する、
ことを特徴とする通信装置。
【請求項６】
前記特定種類のパケットを、特定のＭＡＣアドレスを持つパケットとする、
ことを特徴とする請求項４または５に記載の通信装置。
【国際調査報告】
2014033835.tif 000007
2014033835.tif 000008